【手続補正書】
【提出日】平成25年6月21日(2013.6.21)
【手続補正１】
【補正対象書類名】特許請求の範囲
【補正対象項目名】全文
【補正方法】変更
【補正の内容】
【特許請求の範囲】
【請求項１】
少なくとも入力画素値を有する入力画像データを入力する入力手段と、
前記入力手段により入力された入力画像データの入力画素値に対して処理を実行して処理結果を得る処理手段と、
出力画素値と、当該出力画素値に対する処理を特定するための出力属性値と、を有する出力画像データを出力可能な出力手段と、を有する第１の画像処理モジュールを備え、
前記第１の画像処理モジュールは、前記処理手段による処理結果を出力画素値として出力する第１の機能と、前記処理手段による処理結果を示す情報を出力属性値として出力すると共に前記入力手段により入力された入力画像データの入力画素値を出力画素値として出力する第２の機能と、を備える
ことを特徴とする画像処理装置。
【請求項２】
前記入力手段により入力される入力画像データは、入力属性値をさらに有する
ことを特徴とする請求項１に記載の画像処理装置。
【請求項３】
前記入力手段により入力される入力属性値は、各画素値に対する処理の内容を特定するものである
ことを特徴とする請求項２に記載の画像処理装置。
【請求項４】
前記第１の画像処理モジュールは、前記第１の画像処理モジュールが前記第１の機能を用いる場合には、前記処理手段による処理結果を出力画素値として出力すると共に前記入力手段により入力された画像データの入力属性値を出力属性値として出力する
ことを特徴とする請求項２又は３に記載の画像処理装置。
【請求項５】
前記処理手段は、前記入力手段により入力された入力属性値に基づいて処理を実行する
ことを特徴とする請求項２から４のいずれか１項に記載の画像処理装置。
【請求項６】
前記処理手段で用いる入力属性値を特定する特定情報を設定する設定手段をさらに備え、
前記処理手段は、前記設定手段により設定された特定情報に基づいて処理を行う
ことを特徴とする請求項５に記載の画像処理装置。
【請求項７】
前記第１の画像処理モジュールは、前記第１の機能として、前記入力手段により入力された入力属性値に基づいて画素値に対して処理を実行して処理結果を得る第１モードと、前記入力手段により入力された入力属性値を用いずに画素値に対して処理を実行して処理結果を得る第２モードとを有する
ことを特徴とする請求項２から６のいずれか１項に記載の画像処理装置。
【請求項８】
前記入力手段により入力された入力画像データの入力属性値を保持する保持手段をさらに備え、
前記保持手段は、前記第２の機能を用いる場合には前記入力属性値を保持する
ことを特徴とする請求項２から７のいずれか１項に記載の画像処理装置。
【請求項９】
前記出力手段は、前記第２の機能を用いる場合には、前記第１の画像処理モジュール以外の他の画像処理モジュールのための出力属性値を出力する
ことを特徴とする請求項１から８のいずれか１項に記載の画像処理装置。
【請求項１０】
前記入力手段により入力される入力画像データは、画素値を保持する１以上の画素値フィールドと、属性値を保持する１以上の属性値フィールドと有する
ことを特徴とする請求項２から９のいずれか１項に記載の画像処理装置。
【請求項１１】
前記入力画像データは所定ビット数であり、前記所定ビット数の一部は画素値フィールドに割り当てられ、前記所定ビット数の他の一部は属性値フィールドに割り当てられている
ことを特徴とする請求項１０に記載の画像処理装置。
【請求項１２】
前記第１の画像処理モジュールは、前記入力手段により入力される入力画像データにおける１以上の画素値フィールド及び１以上の属性値フィールドの少なくとも一方を拡張する拡張手段をさらに備える
ことを特徴とする請求項１０又は１１に記載の画像処理装置。
【請求項１３】
前記第１の画像処理モジュールは、前記出力手段により出力される出力画像データにおける１以上の画素値フィールド及び１以上の属性値フィールドの少なくとも一方を圧縮する圧縮手段をさらに備える
ことを特徴とする請求項１０から１２のいずれか１項に記載の画像処理装置。
【請求項１４】
前記入力手段により入力された入力画像データを、画素毎に１以上の画素値フィールド及び１以上の属性値フィールドを有する画像データに編集する編集手段をさらに備える
ことを特徴とする請求項１から１３のいずれか１項に記載の画像処理装置。
【請求項１５】
前記処理手段は、前記入力手段により入力された入力画像データの入力属性値に基づいて、各画素値フィールドの画素値毎に処理を行う
ことを特徴とする請求項１０から１４のいずれか１項に記載の画像処理装置。
【請求項１６】
前記属性値フィールドは、前記画素値フィールドの画素値の色成分毎に割り当てられている
ことを特徴とする請求項１から１５のいずれか１項に記載の画像処理装置。
【請求項１７】
入力画素値を有する入力画像データを入力する第２の入力手段、前記第２の入力手段により入力された入力画像データに対して処理を実行して処理結果を得る第２の処理手段、及び前記第２の処理手段による処理結果に基づいて第２の出力画像データを出力する第２の出力手段を有する第２の画像処理モジュールと、
前記第１の画像処理モジュールと前記第２の画像処理モジュールとに接続され、一方の画像処理モジュールから他方の画像処理モジュールへ画像データを移動させる接続モジュールと、
画像データを移動させる移動順を指定する指定手段と、を備え、
前記接続モジュールは、前記指定手段により指定された移動順に従って画像データを移動させる
ことを特徴とする請求項１から１６のいずれか１項に記載の画像処理装置。
【請求項１８】
請求項１から１７のいずれか１項に記載の画像処理装置と、
前記画像処理装置の処理手段により処理された出力画素値に基づき、印刷を実行する印刷手段と、を備える
ことを特徴とするプリンタ。
【請求項１９】
第１の画像処理モジュールを備える画像処理装置を用いた画像処理方法であって、
少なくとも入力画素値を有する入力画像データを入力する入力工程と、
前記入力工程で入力された入力画像データの入力画素値に対して処理を実行して処理結果を得る処理工程と、
出力画素値と、当該出力画素値に対する処理を特定するための出力属性値と、を有する出力画像データを出力する出力工程と、を有し、
前記第１の画像処理モジュールは、前記処理工程で得られた処理結果を出力画素値として出力する第１の機能と、前記処理工程で得られた処理結果を示す情報を出力属性値として出力すると共に前記入力工程で入力された入力画像データの入力画素値を出力画素値として出力する第２の機能と、を備える
ことを特徴とする画像処理方法。
【手続補正２】
【補正対象書類名】明細書
【補正対象項目名】０００９
【補正方法】変更
【補正の内容】
【０００９】
上記課題を解決するため、本発明の一態様は、少なくとも入力画素値を有する入力画像データを入力する入力手段と、前記入力手段により入力された入力画像データの入力画素値に対して処理を実行して処理結果を得る処理手段と、出力画素値と、当該出力画素値に対する処理を特定するための出力属性値と、を有する出力画像データを出力可能な出力手段と、を有する第１の画像処理モジュールを備え、前記第１の画像処理モジュールは、前記処理手段による処理結果を出力画素値として出力する第１の機能と、前記処理手段による処理結果を示す情報を出力属性値として出力すると共に前記入力手段により入力された入力画像データの入力画素値を出力画素値として出力する第２の機能と、を備える。
【手続補正３】
【補正対象書類名】明細書
【補正対象項目名】発明の名称
【補正方法】変更
【補正の内容】
【発明の名称】画像処理装置、プリンタ及び画像処理方法